(57)【要約】【課題】残量の少ない２本のトイレットペーパーを十分な残量のある１本のトイレットペーパーに変換するための装置を提供する。【解決手段】基板を有する適宜形状のケースを設け、基板に回転軸とモーターを所定距離を持って取り付けるとともに、該回転軸とモーター軸にペーパー装着体を取り付けたことを特徴とする。【選択図】図２
2011041785.tif 000002
【特許請求の範囲】
【請求項１】
基板を有する適宜形状のケースを設け、基板に回転軸とモーターを所定距離を持って取り付けるとともに、該回転軸とモーター軸にペーパー装着体を取り付けたことを特徴とするトイレットペーパー継ぎ足し巻き取り装置。
【発明の詳細な説明】
【技術分野】
【０００１】  この発明は、使用して残量の少なくなったトイレットペーパー端を互いに接合して巻き取ることにて、１本の十分な残量を有するトイレットペーパーに変換するための装置に関する。
【背景技術】
【０００２】  従来より、トイレットペーパーホルダー等に関する発明は多くあるが、本発明にて示すように、残量の少ない２本のトイレットペーパーを接合して巻き取ることにて１本のトイレットペーパーに変換するための装置は現在のところ見あたらない。
【発明の開示】
【発明が解決しようとする課題】
【０００３】  従来より、ホテルや旅館、公共施設等のトイレで使用されるトイレットペーパーは、半分くらい使用されると新しいものに交換され、使用済みのものは処分されている。すなわちまだ残量のあるトイレットペーパーは無駄になり、いわば資源の無駄遣いということになり、資源節約が求められる現代風潮にそぐわないものとなっているが、これといった有効な手段が見あたらないのが現状である。本発明は、以上のような従来からのトイレットペーパー使用に関わる課題を解決するために発明されたもので、使用後の残量のある２本のトイレットペーパーを１本化することにて、再び有効に利用することを可能とする新規かつ有用なる装置を提供することを目的として開発されたものである。
【課題を解決するための手段】
【０００４】  課題を解決する手段として本発明は以下の構成とした。
すなわち、基板を有する適宜形状のケースを設け、基板に回転軸とモーターを所定距離を持って取り付けるとともに、該回転軸とモーター軸にペーパー装着体を取り付ける。
本発明は以上の構成よりなるトイレットペーパー継ぎ足し巻き取り装置である。
【発明の効果】
【０００５】  本発明によれば、モーター駆動にて駆動側のトイレットペーパーが回転し、該ペーパーは従動側のトイレットペーパーに接続されているため、この従動側のトイレットペーパーは駆動側のトイレットペーパーに巻き取られるために、残量の少ない２本のトイレットペーパーを十分な残量を有する１本のトイレットペーパーに変換して、新品同様に使用することのできる有用なる装置を得ることができて、資源節約の面からも効果的なる有意な手段を提供することができる。
【発明を実施するための最良の形態】
【０００６】  以下、本発明の実施形態について説明する。
図において、１はケースで、合成樹脂板にて前面の大半を開放した箱形に形成したものであり、そのやや下部には適所に孔を有する基板２が水平に固着され、ケース上縁後部には蝶番にて蓋板３が開閉自在に設けられる。４はペーパー装着体である。
５は合成樹脂製の筒部で、その側面に四等配に湾曲板６が形成される。この湾曲板は筒部側面に、湾曲した細長小板体の上端を固着して湾曲形状に筒部外方に張り出すように形成した部分であり、外圧により弾力を持って変形が可能である。筒部下方には円板形の台板７が一体に形成され、台板下部には段部を有して小径部分が形成され、その中央には軸挿入孔８としての貫通孔が穿設され、またこの小径部分側面適所には雌ねじ９が刻設される。以上の筒部、湾曲板、台板にてペーパー装着体が構成される。
１０は減速機構を内蔵した駆動モーターで、モーター軸が基板の孔を通って基板上方に突出するように基板下面にビス止めされる。このモーター軸に前記ペーパー装着体が挿入され、前記雌ねじに螺合する六角穴付き止めネジにてペーパー装着体はモーター軸に固定される。
１１は回転軸ホルダーである。この回転軸ホルダーは、その内面に段部を有する孔を有するベアリングケース１２と、該ベアリングケース下面にビス止めされる有孔の押さえ板１３とから成り立ち、ベアリングケース内の孔にはラジアルベアリング１４と１５が圧入される。押さえ板とベアリングケースには四等配に孔が穿設され、またこの孔に対応する基板位置には雌ねじが刻設され、ビスにてベアリングケースと押さえ板は基板に固定される。１６は段部を有する回転軸で、前記ベアリング内に挿通される。この回転軸に、前記ペーパー装着体がモーター軸の場合と同様に固定される。以上から、基板上に対向して２個のペーパー装着体が所定間隔にて位置し、これらペーパー装着体間の中間位置基板上に、その前面に湾曲面を有する薄直方体形状のペーパーガイド１７が固着される。
１８はケース側面適所に設けられるスイッチである。このスイッチにて駆動モーターへの電力供給のＯＮとＯＦＦが選択される。なお、モーターとスイッチには交流１００ボルトが接続される。【０００７】  本発明の使用時は、まず蓋板を開けて双方のペーパー装着体に上方から残量の少なくなったトイレットペーパーを挿入する。このとき湾曲板は押圧を受けてやや内方に移動し、トイレットペーパーの芯（紙製筒体）の内面に押圧接触して位置し、トイレットペーパーの下端は台板上に接触する。次に、双方のトイレットペーパー端を引き出してペーパーガイド端に位置させ、両面粘着テープにて双方のペーパー端を互いに粘着させて接続する。
このとき、ペーパーガイド端の湾曲面に双方のペーパー端を押しあてることにて、この作業を円滑に行うことができる。スイッチを投入することにて駆動モーターは回転を開始し、従動側のトイレットペーパーが駆動側のトイレットペーパーに巻き取られる。巻き取りが完了すると、トイレットペーパーのなくなった芯と残量の多くなったトイレットペーパーを抜き取り、一方は廃棄し他方を新品同様のトイレットペーパーとして使用することができる。ペーパー装着体下部には台板が双方同じ高さで位置するので、挿入されたトイレットペーパーの高さを同一としてきれいに巻き取ることができる。
以上、本発明について記したが、本発明は残量の少ない２本のトイレットペーパー端を接続して一方に巻き取り、新品同様のトイレットペーパーとして利用できるところにその特徴を有するものである。
従来はこのような手段がないために、残量のあるトイレットペーパーを廃棄して新品に取り替えるなどの処置がホテルや公共施設などのトイレにて用いられており、無駄を生じていたが、本発明にてこの課題が解消されるものとなったのである。
なお、本例では両面粘着テープにて双方のトイレットペーパー端を接続するものとしたが、糊その他の手段を用いてもよい。また、ペーパー装着体の側面を細長コ字形に切り、これを外方に引き出して湾曲板としてもよい。本品は双方のトイレットペーパーを水平に位置させて使用するものとしたが、垂直に位置させて使用してもよい。なお、既述の例は実施の一例であり、近似の他の構成としてもよい。以上のごとく、本発明によって資源節約にも寄与しうる有用なる手段を提供することができる。
【図面の簡単な説明】
【０００８】
【図１】  本発明の平面図（蓋板除去時・使用状態）
【図２】  本発明の正面図（使用状態）
【図３】  本発明の構造説明図（右側面視・使用状態）
【図４】  本発明のペーパー装着体の拡大平面図
【図５】  本発明のペーパー装着体の拡大正面図
【図６】  本発明のペーパー装着体の拡大Ａ−Ａ断面図
【図７】  本発明の要部構造説明図
【図８】  本発明の要部構造説明図
【図９】  本発明の拡大正面図（トイレットペーパー非装着時）
【符号の説明】
【０００９】  １  ケース
２  基板
３  蓋板
４  ペーパー装着体
５  筒部
６  湾曲板
７  台板
８  軸挿入孔
９  雌ねじ
１０  駆動モーター
１１  回転軸ホルダー
１２  ベアリングケース
１３  押さえ板
１４  ラジアルベアリング
１５  ラジアルベアリング
１６  回転軸
１７  ペーパーガイド
１８  スイッチ
１９  トイレットペーパー
【図１】
2011041785.tif 000003
【図２】
2011041785.tif 000004
【図３】
2011041785.tif 000005
【図４】
2011041785.tif 000006
【図５】
2011041785.tif 000007
【図６】
2011041785.tif 000008
【図７】
2011041785.tif 000009
【図８】
2011041785.tif 000010
【図９】
2011041785.tif 000011